(57)【要約】【課題】容易かつ迅速にくじ抽選等の選抜処理を実行する。【解決手段】無線タグ宝くじ券Ｐ内蔵された無線タグ回路素子Ｔoは、無線タグ発行・読み取り装置３の平面アンテナ４と非接触で信号の送受信を行うアンテナ１５１と、このアンテナ１５１に接続されたＩＣ回路部１５０とを有している。ＩＣ回路部１５０には、宝くじの種類、宝くじ番号、引換有効期間等の宝くじ情報、宝くじの購入者の名前及びメールアドレス等の購入者情報、登録した宝くじ番号が書き換え不能にロックされているかどうかの情報などが記憶保持されている。【選択図】図７
2008242848.tif 000002
【特許請求の範囲】
【請求項１】
情報を記憶するＩＣ回路部、及び、このＩＣ回路部に接続されるタグ側アンテナを備えた無線タグ回路素子を有する無線タグであって、
前記無線タグ回路素子の前記ＩＣ回路部は、
所定の選抜処理における選抜候補として参加するための複数の選抜参加用識別子を、記憶保持することを特徴とする無線タグ。
【請求項２】
請求項１記載の無線タグにおいて、
前記ＩＣ回路部は、
複数の前記選抜処理に係わる前記選抜用識別子を、各選抜処理の識別情報と関連づけて記憶保持することを特徴とする無線タグ。
【請求項３】
請求項１又は請求項２記載の無線タグにおいて、
前記ＩＣ回路部は、
前記選抜処理の結果の連絡先情報を記憶保持する
ことを特徴とする無線タグ。
【請求項４】
請求項１乃至請求項３のいずれか１項記載の無線タグにおいて、
前記ＩＣ回路部は、
前記所定の選抜処理としてのくじ抽選に参加するための複数の抽選番号を、前記選抜参加用識別子として記憶保持する
ことを特徴とする無線タグ。
【請求項５】
請求項１乃至請求項４のいずれか１項記載の無線タグにおいて、
前記ＩＣ回路部は、
前記選抜参加用識別子に関する有効期間情報を、記憶保持することを特徴とする無線タグ。
【請求項６】
請求項１乃至請求項５のいずれか１項記載の無線タグにおいて、
前記ＩＣ回路部は、
前記複数の選抜参加用識別子を、書き換え不能に記憶保持する
ことを特徴とする無線タグ。
【請求項７】
所定の選抜処理における選抜候補として参加するための複数の選抜参加用識別子を記憶保持した無線タグと無線通信により情報送受信を行う読み取り用通信手段と、
前記読み取り用通信手段を介し、前記無線タグより前記選抜参加用識別子を取得する取得手段と、
前記取得手段を介し取得された前記選抜参加用識別子の、前記所定の選抜処理に対する該当性を判定する判定手段と
を有することを特徴とする無線タグ情報読み取り装置。
【請求項８】
請求項７記載の無線タグ情報読み取り装置において、
前記判定手段による判定結果を報知するための報知信号を出力する判定結果出力手段を有する
ことを特徴とする無線タグ情報読み取り装置。
【請求項９】
請求項８記載の無線タグ情報読み取り装置において、
前記読み取り用通信手段は、
前記選抜処理の結果の連絡先情報を記憶保持した前記無線タグと情報送受信を行い、
前記判定結果出力手段は、
前記判定結果を、前記連絡先情報に対応した連絡先へ報知するための判定結果報知信号を出力する
ことを特徴とする無線タグ情報読み取り装置。
【請求項１０】
請求項９記載の無線タグ情報読み取り装置において、
前記読み取り用通信手段は、
前記選抜参加用識別子に関する有効期間情報を記憶保持した前記無線タグと情報送受信を行い、
前記判定手段は、
前記有効期間情報が所定条件を満たす前記選抜参加用識別子に対して、前記該当性を判定する
ことを特徴とする無線タグ情報読み取り装置。
【請求項１１】
請求項１０記載の無線タグ情報読み取り装置において、
前記連絡先情報に基づき、前記有効期間情報に基づき有効期間の残余が所定値以下となった前記選抜参加用識別子に対応する前記連絡先に対し、残余期間を報知するための残余期間報知信号を出力する期間情報出力手段を有する
ことを特徴とする無線タグ情報読み取り装置。
【請求項１２】
タグ媒体に設けられ、情報を記憶するＩＣ回路部と情報の送受信を行うタグ側アンテナとを備えた無線タグ回路素子に対し、無線通信を介し情報送受信可能な書き込み用通信手段と、
前記書き込み用通信手段を介し、所定の選抜処理における選抜候補として参加するための複数の選抜参加用識別子を前記無線タグ回路素子に書き込む情報書き込み手段と
を有することを特徴とする無線タグ発行機。
【請求項１３】
請求項１２記載の無線タグ発行機において、
前記タグ媒体を搬送する搬送手段と、
前記タグ媒体又はこれに貼り合わされる被印字媒体に対し、前記選抜処理の識別情報に対応する所定の印字を行い印刷表示部を形成する印字手段と
を備えることを特徴とする無線タグ発行機。
【請求項１４】
請求項１２又は請求項１３記載の無線タグ発行機において、
前記タグ媒体を用いて、前記無線タグとしての有価証券類又はこれに準ずる物品類の発行処理を行うことを特徴とする無線タグ発行機。
【発明の詳細な説明】
【技術分野】
【０００１】
本発明は、外部と無線通信により情報送受信可能な無線タグ、この無線タグより情報の読み取りを行う無線タグ情報読み取り装置、及び無線タグを発行する無線タグ発行機に関する。
【背景技術】
【０００２】
小型の無線タグとリーダ（読み取り装置）／ライタ（書き込み装置）との間で非接触で情報の読み取り／書き込みを行う無線タグシステム（＝ＲＦＩＤ：Ｒａｄｉｏ  Ｆｒｅｑｕｅｎｃｙ  Ｉｄｅｎｔｉｆｉｃａｔｉｏｎシステム）が知られている。
【０００３】
例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において既に実用化されている。
【０００４】
無線タグのこのような性質を利用し、くじ引きシステムに応用したものとして、例えば特許文献１に記載のものがある。この従来技術では、くじの参加者がそれぞれ所持する名札に、シリアルＩＤを備えた無線タグ（タグ端末）を設ける。全無線タグのシリアルＩＤを無線タグ情報読み取り装置（ホストコンピュータ）のメモリに記憶した後、乱数発生によるくじ引きを行い、当たり等の順位情報を各無線タグに送信して表示させるものである。
【０００５】
【特許文献１】特開２００６−７９２３２号公報
【発明の開示】
【発明が解決しようとする課題】
【０００６】
しかしながら、上記従来技術においては、くじに参加する選抜候補としての名札にそれぞれ無線タグを設け、各無線タグごとに選抜参加用識別子としてシリアルＩＤを付与している。すなわち１つの無線タグには１つの識別子しか記憶されない。このため、すべての識別子を用いて選抜処理（くじ抽選）を行うには、無線タグ情報読み取り装置が全無線タグとそれぞれ通信を行う必要があり、選抜処理に時間がかかっていた。
【０００７】
本発明の目的は、容易かつ迅速にくじ抽選等の選抜処理を実行することができる無線タグ、この無線タグより情報を読み取る無線タグ情報読み取り装置、及び当該無線タグを発行する無線タグ発行機を提供することにある。
【課題を解決するための手段】
【０００８】
上記目的を達成するために、第１の発明は、情報を記憶するＩＣ回路部、及び、このＩＣ回路部に接続されるタグ側アンテナを備えた無線タグ回路素子を有する無線タグであって、前記無線タグ回路素子の前記ＩＣ回路部は、所定の選抜処理における選抜候補として参加するための複数の選抜参加用識別子を、記憶保持することを特徴とする。
【０００９】
本願第１発明のタグにおいては、ＩＣ回路部に複数の選抜参加用識別子を記憶している。選抜処理が実行される際には（あるいは選抜処理結果との照合を行う際には）、無線タグ情報読み取り装置を用いてこの無線タグより情報読み取りが行われ、複数の識別子が読み取られる。そして、各識別子ごとに、選抜処理の対象となるかどうか（＝該当性）の当否が判定される。このようにして、複数の識別子の当否確認を一度の情報読み取りによって実行することができるので、１つの無線タグに１つの識別子しか記憶されない場合に比べ、容易かつ迅速にくじ抽選等の選抜処理を実行することができる。
【００１０】
第２発明は、上記第１発明において、前記ＩＣ回路部は、複数の前記選抜処理に係わる前記選抜用識別子を、各選抜処理の識別情報と関連づけて記憶保持することを特徴とする。
【００１１】
これにより、複数種類のくじ等に関わる複数の選抜用識別子についても、その当否確認を一度の情報読み取りによって実行することができる。
【００１２】
第３発明は、上記第１又は第２発明において、前記ＩＣ回路部は、前記選抜処理の結果の連絡先情報を記憶保持することを特徴とする。
【００１３】
これにより、選抜用識別子の当否確認を実行後、その結果を対応する連絡先へ報知することが可能となる。
【００１４】
第４発明は、上記第１乃至第３発明のいずれかにおいて、前記ＩＣ回路部は、前記所定の選抜処理としてのくじ抽選に参加するための複数の抽選番号を、前記選抜参加用識別子として記憶保持することを特徴とする。
【００１５】
本願第４発明のタグにおいては、ＩＣ回路部に、くじ抽選のための複数の抽選番号を記憶している。くじ抽選が実行される際には（あるいはくじ抽選結果との照合を行う際には）、無線タグ情報読み取り装置を用いてこの無線タグより情報読み取りが行われ、複数の抽選番号が読み取られる。そして、各抽選番号ごとに、当選したかどうかの当否が判定される。このようにして、複数の抽選番号の当否確認を一度の情報読み取りによって実行することができるので、１つの無線タグに１つの抽選番号識別子しか記憶されない場合に比べ、容易かつ迅速にくじ抽選の当選確認を実行することができる。
【００１６】
第５発明は、上記第１乃至第４発明のいずれかにおいて、前記ＩＣ回路部は、前記選抜参加用識別子に関する有効期間情報を、記憶保持することを特徴とする。
【００１７】
これにより、現在の時間情報（期日、時間等）と有効期間との対比において種々の処理が可能となる。例えば有効期間満了が近いものについてはその旨を報知警告することで無線タグの所持者に確実に認識させることができる。また、有効期間が徒過したものについては、選抜処理対象外とすることも可能である。
【００１８】
第６発明は、上記第１乃至第５発明のいずれかにおいて、前記ＩＣ回路部は、前記複数の選抜参加用識別子を、書き換え不能に記憶保持することを特徴とする。
【００１９】
これにより、識別子の書き換えによる不正使用を防止することができる。
【００２０】
上記目的を達成するために、第７の発明は、所定の選抜処理における選抜候補として参加するための複数の選抜参加用識別子を記憶保持した無線タグと無線通信により情報送受信を行う読み取り用通信手段と、前記読み取り用通信手段を介し、前記無線タグより前記選抜参加用識別子を取得する取得手段と、前記取得手段を介し取得された前記選抜参加用識別子の、前記所定の選抜処理に対する該当性を判定する判定手段とを有することを特徴とする。
【００２１】
本願第７発明においては、無線タグのＩＣ回路部に複数の選抜参加用識別子が記憶されている。選抜処理が実行される際には（あるいは選抜処理結果との照合を行う際には）、無線タグ情報読み取り装置の読み取り用通信手段で無線通信を介して上記無線タグより情報読み取りが行われ、取得手段で複数の識別子が読み取られる。そして、判定手段で、各識別子ごとに、選抜処理の対象となるかどうか（＝該当性）の当否が判定される。このようにして、複数の識別子の当否確認を一度の情報読み取りによって実行することができるので、１つの無線タグに１つの識別子しか記憶されない場合に比べ、容易かつ迅速にくじ抽選等の選抜処理を実行することができる。
【００２２】
第８発明は、上記第７発明において、前記判定手段による判定結果を報知するための報知信号を出力する判定結果出力手段を有することを特徴とする。
【００２３】
これにより、選抜用識別子の当否判定を判定手段で実行後、その判定結果を報知することができる。
【００２４】
第９発明は、上記第８発明において、前記読み取り用通信手段は、前記選抜処理の結果の連絡先情報を記憶保持した前記無線タグと情報送受信を行い、前記判定結果出力手段は、前記判定結果を、前記連絡先情報に対応した連絡先へ報知するための判定結果報知信号を出力することを特徴とする。
【００２５】
これにより、選抜用識別子の当否判定を判定手段で実行後、その判定結果を対応する連絡先へと出力して報知することができる。したがって、無線タグの所持者は、無線タグ情報読み取り装置では手軽に情報読み取りを行わせ、その後連絡先において当否判定結果を取得することが可能となるため、さらに利便性が向上する。
【００２６】
第１０発明は、上記第９発明において、前記読み取り用通信手段は、前記選抜参加用識別子に関する有効期間情報を記憶保持した前記無線タグと情報送受信を行い、前記判定手段は、前記有効期間情報が所定条件を満たす前記選抜参加用識別子に対して、前記該当性を判定することを特徴とする。
【００２７】
これにより、有効期間が徒過したものについては選抜処理対象外とすることが可能となり、選抜処理の対象期間に一定の制限範囲を設けることができる。
【００２８】
第１１発明は、上記第１０発明において、前記連絡先情報に基づき、前記有効期間情報に基づき有効期間の残余が所定値以下となった前記選抜参加用識別子に対応する前記連絡先に対し、残余期間を報知するための残余期間報知信号を出力する期間情報出力手段を有することを特徴とする。
【００２９】
これにより、有効期間満了が近いものについてはその旨を報知警告することで無線タグの所持者に確実に認識させることができる。
【００３０】
上記目的を達成するために、第１２の発明は、タグ媒体に設けられ、情報を記憶するＩＣ回路部と情報の送受信を行うタグ側アンテナとを備えた無線タグ回路素子に対し、無線通信を介し情報送受信可能な書き込み用通信手段と、前記書き込み用通信手段を介し、所定の選抜処理における選抜候補として参加するための複数の選抜参加用識別子を前記無線タグ回路素子に書き込む情報書き込み手段とを有することを特徴とする。
【００３１】
本願第１２発明の無線タグ発行機においては、書き込み用通信手段を介し、タグ媒体に備えられた無線タグ回路素子と無線通信が行われ、情報書き込み手段によって無線タグ回路素子に複数の選抜参加用識別子が書き込まれ、無線タグが発行される。このようにして発行された無線タグに対し、選抜処理が実行される際には（あるいは選抜処理結果との照合を行う際には）、無線タグ情報読み取り装置を用いて無線タグより情報読み取りが行われ、複数の識別子が読み取られる。そして、各識別子ごとに、選抜処理の対象となるかどうか（＝該当性）の当否が判定される。このようにして、複数の識別子の当否確認を一度の情報読み取りによって実行することができるので、１つの無線タグに１つの識別子しか記憶されない場合に比べ、容易かつ迅速にくじ抽選等の選抜処理を実行することができる。
【００３２】
第１３発明は、上記第１２発明において、前記タグ媒体を搬送する搬送手段と、前記タグ媒体又はこれに貼り合わされる被印字媒体に対し、前記選抜処理の識別情報に対応する所定の印字を行い印刷表示部を形成する印字手段とを備えることを特徴とする。
【００３３】
これにより、選抜処理内容等を表示した印刷表示部を備えた無線タグを発行することができる。
【００３４】
第１４発明は、上記第１２又は第１３発明において、前記タグ媒体を用いて、前記無線タグとしての有価証券類又はこれに準ずる物品類の発行処理を行うことを特徴とする。
【００３５】
これにより、複数の選抜参加用識別子を一括して備えた有価証券等を発行することができる。
【発明の効果】
【００３６】
本発明によれば、容易かつ迅速にくじ抽選等の選抜処理を実行することができる。
【発明を実施するための最良の形態】
【００３７】
以下、本発明の一実施の形態を図面を参照しつつ説明する。本実施形態は、所定の選抜処理として宝くじを例にとり、その選抜候補としての宝くじ券の発行及び宝くじ券の情報読み取りを行うシステムに本発明を適用した場合の実施形態である。
【００３８】
図１は、本実施形態の無線タグ発行・読み取り装置を備えたシステムの全体概略を表すシステム構成図である。
【００３９】
図１に示すこの例において、無線タグ発行・読み取り装置３（無線タグ情報読み取り装置；無線タグ発行機）は、無線タグ宝くじ券Ｐ（無線タグ）を発行する無線タグ発行機能と、無線タグ宝くじ券Ｐに記憶した無線タグ情報を読み取る無線タグ情報読み取り機能とを有している。この無線タグ発行・読み取り装置３は、宝くじ販売店に設置されている。また、無線タグ発行・読み取り装置３は、適宜の通信ネットワークＮＷを介してデータベース６と接続されている。データベース６には、宝くじの種類（選抜処理の識別情報）、宝くじ番号（抽選番号；選抜参加用識別子。例えば後述のように発売時に各機に割り当てるためのもの）、当選発表日、引換有効期間、及び各宝くじ販売店の情報などが格納されている。
【００４０】
無線タグ発行・読み取り装置３は、装置本体５と、この装置本体５に接続され、無線タグ宝くじ券Ｐに記憶されている無線タグ情報を読み取るためのアンテナ（＝読み取り用通信手段。この例では平面アンテナ）４とを有している。
【００４１】
装置本体５は、無線タグ宝くじ券Ｐを作成する宝くじタグカード作成部１１と、操作者（例えば宝くじ販売店の店員や購入者等）が指示情報や各種データを入力操作するための操作部１４と、宝くじの種類などの情報やメッセージを表示する表示部１５とを有している。操作部１４は、開始スイッチと、後述する３つの処理（新規発券処理、チェック処理、追加購入処理）を選択する選択スイッチとを有している（ともに図示省略）。
【００４２】
図２は、無線タグ発行・読み取り装置３の概略を表す機能ブロック図である。この図２において、無線タグ宝くじ券Ｐには、アンテナ１５１（タグ側アンテナ）とＩＣ回路部１５０とで構成される無線タグ回路素子Ｔoが内包されている。
【００４３】
無線タグ発行・読み取り装置３の装置本体５は、ＣＰＵ１０と、上記宝くじタグカード作成部１１と、上記通信ネットワークＮＷを介してデータベース６との制御信号及び情報信号の授受の制御を行うネットワーク通信制御部１２と、例えばＲＡＭやＲＯＭ等からなるメモリ１３と、上記操作部１４と、上記表示部１５と、上記平面アンテナ４を介し無線タグ宝くじ券Ｐとの無線通信の制御を行うＲＦ通信制御部１７とを備えている。
【００４４】
ＣＰＵ１０は、ＲＡＭの一時記憶機能を利用しつつＲＯＭに予め記憶されたプログラムに従って、無線タグ宝くじ券Ｐを新規に購入するための新規発券処理、無線タグ宝くじ券Ｐを追加購入するための追加購入処理、無線タグ宝くじ券Ｐの無線タグ回路素子Ｔoに記憶されている宝くじ番号が当選しているかどうかをチェックするチェック処理などを行う。これらの処理については、後で詳述する。
【００４５】
図３は、上記装置本体５におけるＣＰＵ１０、ＲＦ通信制御部１７、及び平面アンテナ４の詳細構成を表す機能ブロック図である。
【００４６】
この図３において、ＲＦ通信制御部１７は、上記平面アンテナ４を介し上記無線タグ回路素子ＴoのＩＣ回路部１５０の情報(無線タグ情報)へアクセスするものである。ＣＰＵ１０は、無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、無線タグ発行・読み取り装置３全体の動作を制御するものである。
【００４７】
ＲＦ通信制御部１７は、平面アンテナ４を介し無線タグ回路素子Ｔoに対して信号を送信する送信部２１２と、平面アンテナ４により受信された無線タグ回路素子Ｔoからの応答波を入力する受信部２１３と、送受分離器２１４とから構成される。
【００４８】
送信部２１２は、無線タグ回路素子ＴoのＩＣ回路部１５０の無線タグ情報にアクセスする(読み取り又は書き込み)ための搬送波を発生させる水晶振動子２１５Ａ、ＣＰＵ１０の制御により所定の周波数の信号を発生させるＰＬＬ（Phase  Locked  Loop）２１５Ｂ、及びＶＣＯ（Voltage  Controlled  Oscillator）２１５Ｃと、上記ＣＰＵ１０から供給される信号に基づいて上記発生させられた搬送波を変調（この例ではＣＰＵ１０からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波を増幅（この例ではＣＰＵ１０からの「ＴＸ＿ＰＷＲ」信号によって増幅率を決定される増幅）する可変送信アンプ２１７とを備えている。そして、上記発生される搬送波は、例えばＵＨＦ帯、マイクロ波帯、短波帯等の周波数を用いており、上記送信アンプ２１７の出力は、送受分離器２１４を介し平面アンテナ４に伝達されて無線タグ回路素子ＴoのＩＣ回路部１５０に供給される。なお、無線タグ情報は上記のように変調した信号に限られず、単なる搬送波のみの場合もある。
【００４９】
受信部２１３は、平面アンテナ４で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記平面アンテナ４で受信された無線タグ回路素子Ｔoからの応答波（反射波）と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ１０に入力されて処理される。
【００５０】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ１０に入力されるようになっている。このようにして、本実施形態の無線タグ発行・読み取り装置３では、Ｉ−Ｑ直交復調によって無線タグ回路素子Ｔoからの応答波の復調が行われる。
【００５１】
なお、本実施形態では、通信ネットワークＮＷにケーブル等を使用した有線ネットワークを想定しているが、これに限らず、無線ネットワークを用いてもよく、またこの際、例えば上記ＲＦ通信制御部１７と周波数帯及び送受信方式の異なるようにしてもよい。
【００５２】
図４は、宝くじタグカード作成部１１の概略構成を表す概念的説明図である。
【００５３】
この図４において、宝くじタグカード作成部１１は、無線タグ回路素子Ｔoを所定間隔で備えた宝くじ用テープ（タグ媒体）３０３を宝くじ用テープロール３０４（本来は渦巻き状であるが簡略化して同心円で図示している）に巻回してこの宝くじ用テープ３０３を連続的に供給するカートリッジ３００を着脱可能なカートリッジホルダ３０８と、この宝くじ用テープロール３０４から繰り出された宝くじ用テープ３０３（又はこの宝くじ用テープ３０３に貼り合わされる図示しない被印字媒体）のうち各無線タグ回路素子Ｔoに対応した所定領域に所定の印字を行い印刷表示部（図示省略）を形成する印字ヘッド（印字手段）３０５と、無線タグ回路素子Ｔoとの間で無線通信により情報の送受信を行うためのアンテナ３０６（書き込み用通信手段）及び高周波回路３０１と、入出力インタフェース３１０を介して上記ＣＰＵ１０等に接続された制御回路３０２と、宝くじ用テープ３０３への印字及び無線タグ回路素子Ｔoへの上記情報書き込みが終了した宝くじ用テープ３０３を所定の長さに切断して上記無線タグ宝くじ券Ｐとするカッタ３０７と、印字ヘッド３０５に対向して設けられ、制御回路３０２により制御されて宝くじ用テープ３０３を搬送する搬送装置（搬送手段）３０９とを有する。
【００５４】
高周波回路３０１及び制御回路３０２は、詳細な説明を省略するが、前述した上記無線タグ発行・読み取り装置３のＲＦ通信制御部１７及びＣＰＵ１０とほぼ同等の機能を備えるものであり、無線タグ回路素子ＴoのＩＣ回路部１５０へのアクセス情報を作成し、アンテナ３０６を介して無線タグ回路素子Ｔoへ送信し、無線タグ回路素子ＴoのＩＣ回路部１５０に対して情報書き込みを行う。
【００５５】
図５は、上記無線タグ宝くじ券Ｐに備えられた上記無線タグ回路素子Ｔoの機能的構成の一例を表すブロック図である。
【００５６】
この図５において、無線タグ回路素子Ｔoは、上述したように無線タグ発行・読み取り装置３の平面アンテナ４と例えばＵＨＦ帯、マイクロ波帯、短波帯等の高周波を用いて非接触で信号の送受信を行う上記アンテナ１５１と、このアンテナ１５１に接続された上記ＩＣ回路部１５０とを有している。
【００５７】
ＩＣ回路部１５０は、タグ側アンテナであるアンテナ１５１により受信された質問波を整流する整流部１５２と、この整流部１５２により整流された質問波のエネルギを蓄積し駆動電源とするための電源部１５３と、上記アンテナ１５１により受信された質問波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００５８】
変復調部１５６は、アンテナ１５１により受信された上記無線タグ発行・読み取り装置３の平面アンテナ４からの通信信号の復調を行うと共に、上記制御部１５７からの返信信号に基づき、平面アンテナ４より受信された質問波を変調し、アンテナ１５１より応答波として再送信する。
【００５９】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００６０】
クロック抽出部１５４は受信した信号からクロック成分を抽出して制御部１５７にクロックを抽出するものであり、受信した信号のクロック成分の速度に対応したクロックを制御部１５７に供給する。
【００６１】
図６は、上記無線タグ宝くじ券Ｐの全体概略構造の一例を表す上面図である。
【００６２】
この図６において、無線タグ宝くじ券Ｐは、例えば長方形状のカードであり、前述したように無線タグ回路素子Ｔoを内蔵している。無線タグ宝くじ券Ｐの表側（上面）には、宝くじの識別情報に対応する所定の印字情報（この例では「サマージャンボ」）Ｒが印字される印刷表示部Ａが設けられている。なお、印字情報Ｒの印字は必須ではなく、文字でなく図形や符号、あるいは単なる色塗り（無色も可能）や模様等であってもよい。
【００６３】
図７は、上記無線タグ宝くじ券Ｐの無線タグ回路素子Ｔoに備えられたＩＣ回路部１５０のメモリ領域を概念的に表す図である。この例では複数種類の宝くじを購入した例を示している。
【００６４】
この図７において、上記無線タグ宝くじ券Ｐの無線タグ回路素子ＴoのＩＣ回路部１５０には、上述した複数種類それぞれの宝くじに係わる宝くじ番号を、各種類の宝くじの識別情報（例えば宝くじ名称。あるいはこれに代わるコード等でもよい）と関連づけて記憶保持するようになっている。すなわち、ＩＣ回路部１５０には、複数（この例では２つの）の宝くじデータ領域Ｍ１，Ｍ２が設けられている。
【００６５】
宝くじデータ領域Ｍ１は、（後述のようにして本券所持者が購入した）サマージャンボ宝くじに関する情報を記憶する領域である。宝くじデータ領域Ｍ２は、同様に本券所持者が購入したグリーンジャンボ宝くじに関する情報を記憶する領域である。
【００６６】
宝くじデータ領域Ｍ１，Ｍ２のいずれも、図示のように、宝くじ情報である宝くじ識別情報（名称）、宝くじ番号、及び引換有効期間（抽選期限等の有効期間情報）がそれぞれ書き込まれた宝くじ名称領域ｍ１、宝くじ番号領域ｍ２、及び有効期間領域ｍ３を備えている。
【００６７】
また、購入者情報である購入者の名前及び連絡先情報（この例ではメールアドレス）がそれぞれ書き込まれた購入者名領域Ｍ３及びメールアドレス領域Ｍ４を備えている。さらには、登録した宝くじ番号が書き換え不能にロックされているかどうかの情報を書き込まれたロック情報領域Ｍ５を備えている。ロック情報領域Ｍ５には、上記ロックした旨の情報や適宜の識別子が書きこまれる。
【００６８】
図８は、無線タグ発行・読み取り装置３のＣＰＵ１０によって実行される制御手順を表すフローチャートである。図８において、例えば操作部１４の開始スイッチ（前述）が押下されると、このフローが開始される。
【００６９】
まず、ステップＳ５において、操作部１４の処理選択スイッチ（前述）により選択入力された処理を判定する。処理選択スイッチにより新規発券が選択入力されたときは、ステップＳ１００において新規発券処理が実行され、処理選択スイッチによりチェックが選択入力されたときは、ステップＳ２００においてチェック処理が実行され、処理選択スイッチにより追加購入が選択入力されたときは、ステップＳ３００において追加購入処理が実行される。
【００７０】
図９は、上記ステップＳ１００において実行される新規発券処理の詳細手順を表すフローチャートである。
【００７１】
この図９において、まずステップＳ１０５において、ネットワーク通信制御部１２を介して上記データベースへアクセスし、現在発売中の宝くじの種類をリストアップして、表示部１５に表示信号を出力し表示させる。
【００７２】
次にステップＳ１１０に移り、上記表示部１５での表示に対応し、現在発売中の宝くじの中から、購入者が購入を希望する宝くじの種類が操作部１４により選択入力されたかどうかを判定する。操作者（宝くじ販売店の店員）が宝くじの種類を選択入力操作するまで本ステップＳ１１０を繰り返し、宝くじの種類が選択入力された場合には判定が満たされ、ステップＳ１１５へ移る。
【００７３】
ステップＳ１１５では、上記ステップＳ１０５でのデータベース６へのアクセス時に取得した情報に基づき表示部１５に表示信号を出力する。そして、宝くじの名称、（当機で購入可能な）宝くじ番号、及び当選発表日等を含む宝くじデータと、宝くじの種類別購入枚数（連番購入、バラ購入の別も含む）等を含む購入情報入力欄等と、購入者の名前、メールアドレス等のユーザー情報入力欄とを、表示部１５に表示させる。
【００７４】
次にステップＳ１２０において、表示部１５に表示された上記購入情報入力欄及びユーザー情報の入力欄に、操作部１４により宝くじ購入枚数やユーザー情報等が入力されたかどうかを判定する。操作者が各情報を入力操作するまで本ステップＳ１２０を繰り返し、情報が入力された場合には判定が満たされ、ステップＳ１２５へ移る。
【００７５】
ステップＳ１２５では、宝くじタグカード作成部１１（図４参照）の制御回路３０２に対して制御信号を出力し、高周波回路３０１及びアンテナ３０６を介して、宝くじ用テープ３０３に備えられている無線タグ回路素子Ｔoに対して上記ステップＳ１２０で取得したユーザー情報、及び、ステップＳ１１０で選択されステップＳ１２０で枚数が決定された宝くじの種類及び当該枚数分の宝くじ番号（データベースより割り振ってもらう）等の宝くじデータ（当選発表日や引き替え有効期間等を含んでもよい）を書き込む。また、制御回路３０２に対して制御信号を出力し、印字ヘッド１０５によって上記無線タグ回路素子Ｔoに書き込まれた情報に対応した印字情報Ｒの印字を行う。
【００７６】
そして次のステップＳ１３０において、宝くじタグカード作成部１１の制御回路３０２に対して制御信号を出力し、高周波回路３０１及びアンテナ３０６を介して、宝くじ用テープ３０３の無線タグ回路素子Ｔoに対し所定の照合確認信号を送信し、対応する応答信号を受信して取り込む。この応答信号に基づき、ステップＳ１２５で無線タグ回路素子Ｔoに書き込むために送信した情報と上記応答信号に含まれる情報（実際に無線タグ回路素子Ｔoに書き込まれた情報）とが一致しているかどうかの照合確認（ベリファイ）処理を行う。
【００７７】
両者が一致している場合には、ステップＳ１３０の判定が満たされ、ステップＳ１３５において適宜の精算処理（例えば表示部１５に表示信号を出力して合計支払金額を表示し、対応する金額が入金されたことの確認操作信号が操作部１４より入力されたかを判定する）を行った後、ステップＳ１４０に移る。一方、両者が一致していない場合にはステップＳ１３０の判定が満たされず、ステップＳ１４５において表示部１５に表示信号を出力してエラー表示させた後、本フローを終了する。
【００７８】
ステップＳ１４０では、宝くじタグカード作成部１１の制御回路３０２に対して制御信号を出力し、高周波回路３０１及びアンテナ３０６を介して、宝くじ用テープ３０３の無線タグ回路素子Ｔoに対し所定の書き換え禁止指令（ロック指令）を送信し、宝くじ用テープ３０３の無線タグ回路素子Ｔoに書き込まれた情報（宝くじデータやユーザー情報）を書き換え禁止（ロック）にする。これにより、宝くじデータやユーザー情報が無線タグ回路素子Ｔoに書き換え不能に記憶保持されることとなる。
【００７９】
そして次のステップＳ１５０において、宝くじタグカード作成部１１の制御回路３０２に対し制御信号を出力し、搬送装置３０９で搬送した後の所定の位置にてカッタ３０７により宝くじ用テープ３０３を切断させて、１つの無線タグ回路素子Ｔoを備えた無線タグ宝くじ券（宝くじタグ）Ｐを作成し、本フローを終了する。
【００８０】
図１０は、上記ステップＳ２００において実行されるチェック処理（当選チェック処理）の詳細手順を表すフローチャートである。
【００８１】
この図１０において、まずステップＳ２０５において、表示部１５に表示信号を出力し、「宝くじタグを置いて下さい」旨を表示させる。
【００８２】
次にステップＳ２１０に移り、平面アンテナ４上に無線タグ宝くじ券Ｐが置かれることで無線タグ宝くじ券Ｐが検出されたか否かを判定する。無線タグ宝くじ券Ｐの検出方法としては、例えばＲＦ通信制御部１７及びアンテナ４を介して無線タグ宝くじ券Ｐの無線タグ回路素子Ｔoに対して応答を要求する問合せ信号を送信し、それに対して無線タグ宝くじ券Ｐの無線タグ回路素子Ｔoからの応答信号がアンテナ４で受信されたかどうかを判定することにより行えば足りる。操作者（購入客又は宝くじ販売店の店員等）が平面アンテナ４上に無線タグ宝くじ券Ｐを置き検出されるまで本ステップＳ２１０を繰り返し、無線タグ宝くじ券Ｐが検出された場合には判定が満たされ、ステップＳ２１５へ移る。
【００８３】
ステップＳ２１５では、上記ステップＳ２１０で無線タグ宝くじ券Ｐの無線タグ回路素子Ｔoから受信した応答信号より、当該無線タグ回路素子ＴoのＩＣ回路部１５０に記憶保持されていたユーザー情報（上記ステップＳ１２０参照）を抽出し取得する。あるいはステップＳ２１０とは別にもう一度情報要求信号を無線タグ宝くじ券Ｐの無線タグ回路素子Ｔoに送信し、ユーザー情報を含む応答信号を受信するようにしてもよい。
【００８４】
そしてステップＳ２２０において、ステップＳ２１５で無線タグ宝くじ券Ｐから読み取ったユーザー情報が正しいものであるかどうかの照合を行う。この照合方法としては、例えば無線タグ宝くじ券Ｐを購入した購入者の名前やメールアドレス等を操作部１４により入力させ、この入力データと無線タグ宝くじ券Ｐから読み取ったユーザー情報とが一致するかどうかを確認することにより行う。あるいは、過去にいずれかの売場（あるいは当該売場のみでもよい）より発券された無線タグ宝くじ券Ｐのユーザー情報がすべて上記データベース６に格納されており、読み取ったユーザー情報がデータベース６に格納されたものであるかどうか（不正に書き込まれたものでないか）を判定するようにしてもよい。
【００８５】
ユーザー情報が正しいものでない場合には判定が満たされず、ステップＳ２３５において表示部１５に表示信号を出力してエラー表示させた後、後述のステップＳ２７０に移る。一方、ユーザー情報が正しいものである場合には、ステップＳ２２０の判定が満たされ、次のステップＳ２２５に移る。ステップＳ２２５では、ＲＦ通信制御部１７及びアンテナ４を介して無線タグ宝くじ券Ｐの無線タグ回路素子Ｔoに対して情報要求信号を送信し、無線タグ回路素子Ｔoに記憶保持されている宝くじデータ（図７の宝くじデータ領域Ｍ１，Ｍ２に記憶されている情報であり、宝くじ種類情報、各種類別の宝くじ番号等を含む）を平面アンテナ４を介して読み取り、ステップＳ２４０に移る。
【００８６】
ステップＳ２４０では、表示部１５に表示信号を出力してステップＳ２２５で読み取った宝くじの種類を表示部１５に表示させ、ステップＳ２４５に移る。
【００８７】
ステップＳ２４５では、データベース６へのアクセス結果に基づき、上記ステップＳ２４０で表示部１５に表示させた種類の宝くじの当選発表が既にあったかどうかを判断する。当該宝くじの当選発表が既にあった場合には、判定が満たされ、ステップＳ２４７に移る。当該宝くじの当選発表が未だ行われていない場合にはステップＳ２４５の判定が満たされず、ステップＳ２５５に移り、上記データベース６へのアクセス結果に基づき、表示部１５に表示信号を出力して「○月○日に当選発表します」旨を表示させ、後述のステップＳ２７０に移る。
【００８８】
ステップＳ２４７では、無線タグ宝くじ券Ｐに記憶保持されている宝くじ番号の中で引換有効期間中の宝くじがあるかどうかを判断する（図７の有効期間領域ｍ３参照）。引換有効期間中の宝くじがない場合には、後述のステップＳ２７０に移る。引換有効期間中の宝くじがある場合には、ステップＳ２５０に移り、データベース６へのアクセス結果に基づき、表示部１５に表示された種類の宝くじの中に当選した宝くじ番号があるかどうかを判断する。このように引換有効期間が徒過したものについては、当選確認の対象外とすることで、宝くじの当選確認対象期間に一定の制限範囲を設けることができる。
【００８９】
ステップＳ２５０において、当選した宝くじ番号がある場合には、判定が満たされてステップＳ２６０に移り、表示部１５に表示信号（報知信号）を出力して「当選しています」旨を表示させる。一方、当選した宝くじ番号がない場合は判定が満たされず、ステップＳ２６５において、表示部１５に表示信号（報知信号）を出力して「残念でした」旨を表示させる。
【００９０】
前述したように、ステップＳ２６０、ステップＳ２６５、ステップＳ２５５、ステップＳ２３５が終了した場合と、上記ステップＳ２４７の判定が満たされなかった場合は、ステップＳ２７０に移る。このステップＳ２７０では、表示部１５に表示信号を出力し「宝くじタグを取って下さい」旨を表示させ、本フローを終了する。
【００９１】
図１１は、上記ステップＳ３００において実行される追加購入処理の詳細手順を表すフローチャートである。
【００９２】
この図１１において、ステップＳ３０５、ステップＳ３１０、ステップＳ３１５、ステップＳ３２０は、前述のステップＳ２０５、ステップＳ２１０、ステップＳ２１５、ステップＳ２２０と同様である。
【００９３】
すなわち、表示部１５に「宝くじタグを置いて下さい」旨を表示させ、平面アンテナ４上の無線タグ宝くじ券Ｐが検出されたか否かを判定し、判定が満たされたら、無線タグ回路素子Ｔoからの応答信号よりユーザー情報を取得する。そしてステップＳ３２０で読み取ったユーザー情報が正しいものであるかどうかの照合を行う。
【００９４】
ユーザー情報が正しいものでない場合には、ステップＳ３２０の判定が満たされず、ステップＳ３３０で表示部１５に表示信号を出力してエラー表示させた後、後述のステップＳ３８５に移る。ユーザー情報が正しいものである場合にはステップＳ３２０の判定が満たされ、次のステップＳ３２５に移る。
【００９５】
ステップＳ３２５では、無線タグ宝くじ券Ｐの無線タグ回路素子Ｔoに新たに書き込む追記領域があるかどうかを判定する。この判定は、ステップＳ３１０やステップＳ３１５における無線タグ回路素子Ｔoからの応答信号より判定してもよい（応答信号中にメモリ残量情報又はメモリ消費情報等が含まれるようにして、それらの情報を取得して判定する）。あるいは、別にもう一度情報要求信号を無線タグ宝くじ券Ｐの無線タグ回路素子Ｔoに送信し、それらの情報を含む応答信号を受信するようにしてもよい。
【００９６】
上記ステップＳ３２５において、無線タグ回路素子Ｔoに十分な追記領域がない場合には判定が満たされず、ステップＳ３４５において、表示部１５に「満杯です。新しいカードをお求め下さい」旨を表示させ、後述のステップＳ３８５へ移る。一方、上記ステップＳ３２５おいて、無線タグ回路素子Ｔoに十分な追記領域があった場合は判定が満たされ、ステップＳ３３５において、上記ステップＳ１０５と同様にして現在発売中の宝くじの種類をリストアップして表示部１５に表示させ、次のステップＳ３４０へ移る。
【００９７】
ステップＳ３４０では、上記ステップＳ１１０と同様、購入者が購入を希望する宝くじの種類が操作部１４により選択入力されたかどうかを判定する。宝くじの種類が選択入力された場合には判定が満たされ、ステップＳ３５０へ移る。
【００９８】
ステップＳ３５０では、上記ステップＳ１１５と同様、データベース６へのアクセス結果に基づき表示部１５に表示信号を出力し、宝くじの名称、（当機で購入可能な）宝くじ番号、及び当選発表日等を含む宝くじデータと、宝くじの種類別購入枚数（連番購入、バラ購入の別も含む）等を含む購入情報入力欄を、表示部１５に表示させる。なお、この追加購入では、無線タグ宝くじ券Ｐに既に購入者の名前やメールアドレス等のユーザー情報は記録されている（図７の購入者名領域Ｍ３やメールアドレス領域Ｍ４参照）ため、ステップＳ１１５と異なりこれらのユーザー情報入力欄は表示しない。
【００９９】
次に、ステップＳ３５５において、表示部１５に表示された上記購入情報入力欄（種類別購入枚数等）に、操作部１４により入力されたかどうかを判定する。操作者が入力操作するまで本ステップＳ３５５を繰り返し、入力が行われた場合には判定が満たされ、ステップＳ３６０へ移る。
【０１００】
ステップＳ３６０では、ＲＦ通信制御部１７及び平面アンテナ４を介し、無線タグ宝くじ券Ｐの無線タグ回路素子Ｔoに対し、ステップＳ３４０で選択されステップＳ３５５で枚数が決定された（追加購入に係る）宝くじの種類及び当該枚数分の宝くじ番号（データベースより割り振ってもらう）等の宝くじデータ（当選発表日や引き替え有効期間等を含んでもよい）を書き込む。
【０１０１】
そして次のステップＳ３６５において、ＲＦ通信制御部１７及び平面アンテナ４を介して、無線タグ宝くじ券Ｐの無線タグ回路素子Ｔoに対し所定の照合確認信号を送信し、対応する応答信号を受信して取り込む。この応答信号に基づき、ステップＳ３６０で無線タグ回路素子Ｔoに書き込むために送信した情報と上記応答信号に含まれる情報（実際に無線タグ回路素子Ｔoに書き込まれた情報）とが一致しているかどうかの照合確認（ベリファイ）処理を行う。
【０１０２】
両者が一致している場合には、ステップＳ３６５の判定が満たされ、ステップＳ３７０において適宜の精算処理（例えば表示部１５に表示信号を出力して合計支払金額を表示し、対応する金額が入金されたことの確認操作信号が操作部１４より入力されたかを判定する）を行った後、ステップＳ３７５に移る。一方、両者が一致していない場合にはステップＳ３６５の判定が満たされず、ステップＳ３８０において表示部１５に表示信号を出力してエラー表示させた後、本フローを終了する。
【０１０３】
ステップＳ３７５では、ＲＦ通信制御部１７及び平面アンテナ４を介して、無線タグ宝くじ券Ｐの無線タグ回路素子Ｔoに対し所定の書き換え禁止指令（ロック指令）を送信し、無線タグ宝くじ券Ｐの無線タグ回路素子Ｔoに書き込まれた宝くじデータを書き換え禁止（ロック）にする。これにより、宝くじデータが無線タグ回路素子Ｔoに書き換え不能に記憶保持されることとなる。
【０１０４】
そして次のステップＳ３８５において、上記ステップＳ２７０と同様、表示部１５に制御信号を出力して「宝くじを取って下さい」旨を表示させ、本フローを終了する。
【０１０５】
以上において、図１０のフローにおけるステップＳ２２５は、読み取り用通信手段を介し、無線タグより選抜参加用識別子を取得する取得手段を構成する。また、ステップＳ２５０は、取得手段を介し取得された選抜参加用識別子の、所定の選抜処理に対する該当性を判定する判定手段を構成する。また、ステップＳ２６０及びステップＳ２６５は、判定手段による判定結果を報知するための報知信号を出力する判定結果出力手段を構成する。
【０１０６】
また、図９のフローのステップＳ１２５と図１１のステップＳ３６０とは、それぞれ、書き込み用通信手段を介し、所定の選抜処理における選抜候補として参加するための複数の選抜参加用識別子を無線タグ回路素子に書き込む情報書き込み手段を構成する。
【０１０７】
以上のように本実施形態においては、無線タグ回路素子ＴoのＩＣ回路部１５０に宝くじの種類及び宝くじ番号等の宝くじデータが書き込まれた無線タグ宝くじ券Ｐを発行する。このような無線タグ宝くじ券Ｐに対し、宝くじの当選確認を行う際には、無線タグ宝くじ券Ｐの無線タグ回路素子Ｔoに登録された複数の宝くじ番号（その後の追加購入分も含む）が読み取られ、各宝くじ番号ごとに当選か否かの判定が行われる。このようにして、複数の宝くじ番号の当選確認を一度の情報読み取りによって実行することができるので、１つの無線タグに１つの宝くじ番号しか記憶されない場合に比べ、宝くじ番号の当選確認を容易かつ迅速に実行することができる。このとき、複数種類の宝くじに関わる複数の宝くじ番号についても、その当選確認を一度の情報読み取りによって実行することができる。
【０１０８】
また、本実施形態では特に、無線タグ回路素子ＴoのＩＣ回路部１５０の有効期間領域ｍ３に宝くじの引換有効期間情報を記憶することにより、有効期間が徒過したものについては、当選確認の対象外とすることができる（ステップＳ２４７参照）。また、有効期間満了が近いものについては、その旨を無線タグ宝くじ券Ｐの所有者に報知警告することも可能となる（後述の変形例における図１４のフローのステップＳ４３９参照）。
【０１０９】
またＩＣ回路部１５０には、購入者情報である購入者の名前及び連絡先情報（この例ではメールアドレス）がそれぞれ書き込まれた購入者名領域Ｍ３及びメールアドレス領域Ｍ４を備えている。
【０１１０】
また、本実施形態では特に、ＩＣ回路部１５０への情報書き込み時に、宝くじ番号を書き換え不能にロックしている（ステップＳ１４５及びステップＳ３７５参照）。これにより、宝くじ番号等の書き換えによる不正使用を防止することができる。
【０１１１】
なお、本実施形態は、上記に限られるものではなく、その趣旨及び技術思想を逸脱しない範囲で種々の変形が可能である。以下、そのような変形例を順を追って説明する。
【０１１２】
（１）無線タグ宝くじ券の情報読み取りをゲートで行う場合
上記実施形態では、無線タグ宝くじ券Ｐの無線タグ回路素子Ｔoに記憶されている情報読み取りを、宝くじ売り場に設置されている無線タグ発行・読み取り装置３により行うようにしたが、本発明はこれに限られず、専用のゲートに情報読み取り機能を持たせてもよい（あるいは別用途のゲートに読み取り機能を併設してもよい）。
【０１１３】
図１２は、本変形例による情報読み取り機能を有するゲートの概略構造を表す斜視図である。この図１２において、ゲート２００（無線タグ情報読み取り装置）は、例えば上述した無線タグ発行・読み取り装置３を備えた宝くじ売り場に隣接した場所に設置されるものである。
【０１１４】
この図１２において、ゲート２００は、無線タグ宝くじ券Ｐの所持者Ｍが通行可能な通路２０１と、この通路２０１の両側に立設されたガイド２０２Ａ，２０２Ｂと、ガイド２０２Ａに取り付けられ、所持者Ｍが所持する無線タグ宝くじ券Ｐに備えられる無線タグ回路素子Ｔoに対し無線通信により情報の送受信を行うアンテナ２０３（読み取り用通信手段）とを備えている。
【０１１５】
図１３は、ゲート２００の概略機能を表す機能ブロック図である。
【０１１６】
この図１３において、ゲート２００は、ＣＰＵ２０５と、例えばＲＡＭやＲＯＭ等からなるメモリ２０６と、上記アンテナ２０３を介し無線タグ宝くじ券Ｐに備えられた上記無線タグ回路素子Ｔoとの無線通信による情報送受信を行うためのＲＦ通信制御部２０７とを備えている。ＣＰＵ２０５は、図示しない有線又は無線通信回線により前述のデータベス６に接続されており、無線タグ宝くじ券Ｐの無線タグ回路素子Ｔoに記憶されている宝くじ番号が当選したかどうかをチェックするチェック処理などを行う。
【０１１７】
図１４は、上記ＣＰＵ２０５により実行されるチェック処理（当選チェック処理）の詳細手順を表すフローチャートである。
【０１１８】
この図１４において、まずステップＳ４０５において、無線タグ宝くじ券Ｐが検出されたかどうかを判断する。無線タグ宝くじ券Ｐの検出方法は、例えば上述した図１０に示すステップＳ２１０と同様である。すなわち、ＲＦ通信制御部２０７及びアンテナ２０３を介して無線タグ宝くじ券Ｐの無線タグ回路素子Ｔoに対して応答を要求する問合せ信号を送信し、それに対して無線タグ宝くじ券Ｐの無線タグ回路素子Ｔoからの応答信号がアンテナ２０３で受信されたかどうかを判定することにより行う。所有者Ｍが無線タグ宝くじ券Ｐをアンテナ２０３に近づけることで無線タグ宝くじ券Ｐが検出されるまで本ステップＳ４０５を繰り返し、無線タグ宝くじ券Ｐが検出された場合には判定が満たされ、ステップＳ４１０へ移る。
【０１１９】
ステップＳ４１０では、上記図１０のステップＳ２１０と同様、上記ステップＳ４０５で無線タグ宝くじ券Ｐの無線タグ回路素子Ｔoから受信した応答信号より、当該無線タグ回路素子ＴoのＩＣ回路部１５０に記憶保持されていたユーザー情報（メールアドレスを含む）を抽出し取得する。あるいは前述と同様、別にもう一度情報要求信号を無線タグ宝くじ券Ｐの無線タグ回路素子Ｔoに送信し、ユーザー情報を含む応答信号を受信するようにしてもよい。
【０１２０】
そしてステップＳ４１５において、上記ステップＳ２２０と同様にして、無線タグ宝くじ券Ｐから読み取ったユーザー情報が正しいものであるかどうかの照合を行う。
【０１２１】
ユーザー情報が正しいものでない場合には判定が満たされず、ステップＳ４０５に戻って同様の手順を繰り返す。一方、ユーザー情報が正しいものである場合には、ステップＳ４１５の判定が満たされ、次のステップＳ４２０に移る。ステップＳ４２０では、上記ステップＳ２２５と同様、ＲＦ通信制御部２０７及びアンテナ２０３を介して無線タグ宝くじ券Ｐの無線タグ回路素子Ｔoに対して情報要求信号を送信し、無線タグ回路素子Ｔoに記憶保持されている宝くじデータをアンテナ２０３を介して読み取り、ステップＳ４３５に移る。
【０１２２】
ステップＳ４３５では、上記ステップＳ２４５と同様、データベース６へのアクセス結果に基づき、上記ステップＳ４２０で読み取った宝くじ番号について当選発表が既にあったかどうかを判断する。当該宝くじの当選発表があった場合には判定が満たされ、ステップＳ４３７に移る。当該宝くじの当選発表が未だ行われていない場合にはステップＳ４３５の判定が満たされずステップＳ４４５に移り、当選発表日を所有者Ｍのメールアドレス先（上記ステップＳ４１０で取得済）に対して報知するためのメールデータを作成し、後述するステップＳ４６０に移る。
【０１２３】
ステップＳ４３７では、上記ステップＳ２４７と同様、無線タグ宝くじ券Ｐに登録されている宝くじ番号の中で引換有効期間中の宝くじがあるかどうかを判断する。引換有効期間中の宝くじがない場合には、後述のステップＳ４６０に移る。引換有効期間中の宝くじがある場合には、ステップＳ４３９に移り、引換有効期間の残余期間を所有者Ｍのメールアドレス先に対して報知するためのメールデータを作成し、ステップＳ４４０に移る。これにより、例えば引換有効期間満了が近いものについてはその旨を所有者Ｍに報知警告し、確実に認識させることができる。なお、引換有効期間の残余が所定値以下である場合のみ、そのようなメールデータを作成しても良い。
【０１２４】
ステップＳ４４０では、上記ステップＳ２４５と同様、データベース６へのアクセス結果に基づき、ステップＳ４２０で取得した宝くじ番号の中で当選した番号があるかどうかを判断する。
【０１２５】
上記ステップＳ４４０において当選した宝くじ番号がある場合には判定が満たされ、次のステップＳ４５０において、当選した旨の情報を所有者Ｍのメールアドレス先に対して報知するためのメールデータを作成し、ステップＳ４６０に移る。一方、当選した宝くじ番号がない場合は判定が満たされず、ステップＳ４５５において、はずれた旨の情報を所有者Ｍのメールアドレス先に対して報知するためのメールデータを作成し、ステップＳ４６０に移る。
【０１２６】
前述したように、ステップＳ４５０、ステップＳ４５５、ステップＳ４４５が終了した場合と、上記ステップＳ４３７の判定が満たされなかった場合は、ステップＳ４６０に移る。このステップＳ４６０では、データベース６へのアクセス結果に基づき、未購入や未発売の宝くじの広告を所有者Ｍのメールアドレス先に対して報知するためのメールデータを作成する。そして、次のステップＳ４６５において、ステップＳ４３０、ステップＳ４４５、ステップＳ４５０、ステップＳ４５５、ステップＳ４６０等で作成された各メールデータ（判定結果報知信号を含む）を前述の通信回線を介し所有者Ｍのメールアドレス先に対して送信し、ステップＳ４０５に戻って同様の手順を繰り返す。
【０１２７】
以上において、図１４のフローにおけるステップＳ４２０は、読み取り用通信手段を介し、無線タグより選抜参加用識別子を取得する取得手段を構成する。またステップＳ４４０は、取得手段を介し取得された選抜参加用識別子の、所定の選抜処理に対する該当性を判定する判定手段を構成する。またステップＳ４５０、ステップＳ４５５、ステップＳ４６５は、判定手段による判定結果を報知するための報知信号を出力する判定結果出力手段を構成する。
【０１２８】
また、上記ステップＳ４３０、ステップＳ４６５は、連絡先情報に基づき、有効期間情報に基づき有効期間の残余が所定値以下となった選抜参加用識別子に対応する連絡先に対し、残余期間を報知するための残余期間報知信号を出力する期間情報出力手段を構成する。
【０１２９】
本変形例によれば、宝くじ番号が当選したかどうかの判定を実行した後、その判定結果を無線タグ宝くじ券Ｐの所有者Ｍの連絡先にメールにより報知する。従って、無線タグ宝くじ券Ｐの所持者Ｍは、ゲート２００に対し手軽に情報読み取りを行わせ、その後連絡先において抽選結果を取得することができる。このように宝くじ売り場に居なくても宝くじ当選結果を知ることができるため、利便性が向上する。
【０１３０】
（２）その他
上記実施形態では、無線タグ宝くじ券Ｐの発行と無線タグ宝くじ券Ｐの情報読み取りを１つの無線タグ発行・読み取り装置３で行うようにしたが、本発明はこれに限られず、これらを別々の装置（無線タグ発行機及び無線タグ情報読み取り装置）で行うようにしてもよい。
【０１３１】
また、上記実施形態は、選抜処理としての宝くじに本発明を適用し、無線タグ宝くじ券Ｐとして発行するものであったが、これに限られない。すなわち、選抜処理として宝くじ以外の福引き等やビンゴゲーム等の抽選・選抜処理に適用し対応する（宝くじ以外の）有価証券類（プリペードカードや各種金券・チケット等）又はこれに準ずる物品類（会員カード、スタンプカード等）の発行を行うようにしてもよい。
【０１３２】
その他、一々例示はしないが、本発明は、その趣旨を逸脱しない範囲内において、種々の変更が加えられて実施されるものである。
【図面の簡単な説明】
【０１３３】
【図１】本発明の一実施形態の無線タグ発行・読み取り装置を備えたシステムの全体概略を表すシステム構成図である。
【図２】無線タグ発行・読み取り装置の概略機能を表す機能ブロック図である。
【図３】ＣＰＵ、ＲＦ通信制御部、及び平面アンテナの詳細構成を表す機能ブロック図である。
【図４】宝くじタグカード作成部の概略構成を表す概念的説明図である。
【図５】無線タグ宝くじ券に備えられた無線タグ回路素子の機能的構成の一例を表す機能ブロック図である。
【図６】無線タグ宝くじ券の全体概略構造の一例を表す上面図である。
【図７】無線タグ宝くじ券の無線タグ回路素子に備えられたＩＣ回路部のメモリ領域を概念的に表す図である。
【図８】ＣＰＵによって実行される制御手順を表すフローチャートである。
【図９】図８中ステップＳ１００の詳細手順を表すフローチャートである。
【図１０】図８中ステップＳ２００の詳細手順を表すフローチャートである。
【図１１】図８中ステップＳ３００の詳細手順を表すフローチャートである。
【図１２】情報読み取り機能を有するゲートの概略構造を表す斜視図である。
【図１３】ゲートの概略機能を表す機能ブロック図である。
【図１４】ＣＰＵにより実行されるチェック処理の詳細手順を表すフローチャートである。
【符号の説明】
【０１３４】
３                無線タグ発行・読み取り装置（無線タグ発行機；無線タグ
情報読み取り装置）
４                平面アンテナ（読み取り用通信手段）
１５０            ＩＣ回路部
１５１            アンテナ（タグ側アンテナ）
２００            ゲート（無線タグ情報読み取り装置）
２０３            アンテナ（読み取り用通信手段）
３０３            タグテープ（タグ媒体）
３０５            印字ヘッド（印字手段）
３０６            アンテナ（書き込み用通信手段）
３０９            搬送装置（搬送手段）
Ａ                印刷表示部
Ｐ                無線タグ宝くじ券（無線タグ）
Ｔo               無線タグ回路素子
【図１】
2008242848.tif 000003
【図２】
2008242848.tif 000004
【図３】
2008242848.tif 000005
【図４】
2008242848.tif 000006
【図５】
2008242848.tif 000007
【図６】
2008242848.tif 000008
【図７】
2008242848.tif 000009
【図８】
2008242848.tif 000010
【図９】
2008242848.tif 000011
【図１０】
2008242848.tif 000012
【図１１】
2008242848.tif 000013
【図１２】
2008242848.tif 000014
【図１３】
2008242848.tif 000015
【図１４】
2008242848.tif 000016